【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
着目表面を分析するための光学デバイスであって、
表面接触部を有する筐体と、
該筐体内に提供され、該表面接触部の近位の着目表面に向けて光を放射するように構成されている、１つ以上の光源と、
該筐体内に提供され、該着目表面から再放射された光を検出するように構成されている、１つ以上の検出器と、
該１つ以上の光源および該１つ以上の検出器に連結されている制御回路であって、該１つ以上の検出器により検出された該再放射された光に基づいて、皮膚治療デバイスの少なくとも１つの局面を制御するように構成されている、制御回路と
を備えている、光学デバイス。
【請求項２】
前記制御回路に連結されている温度センサをさらに備えている、請求項１に記載の光学デバイス。
【請求項３】
前記１つ以上の光源は、単一の広帯域光源を備え、前記１つ以上の検出器は、単一の広帯域検出器を備える、請求項１に記載の光学デバイス。
【請求項４】
前記１つ以上の光源は、複数の光源を備え、該複数の光源のそれぞれは、異なる波長で光を放射し、前記１つ以上の検出器は、単一の広帯域検出器を備える、請求項１に記載の光学デバイス。
【請求項５】
前記１つ以上の光源は、複数の光源を備え、該複数の光源のそれぞれは、異なる波長で光を放出し、前記１つ以上の検出器は、複数の検出器を備え、該複数の検出器のそれぞれは、異なる波長を検出する、請求項１に記載の光学デバイス。
【請求項６】
前記１つ以上の光源は、緑色、赤色、超赤色、黄色、青色、および赤外線ＬＥＤから選択される１つ以上のＬＥＤを備える、請求項１に記載の光学デバイス。
【請求項７】
前記制御回路に連結されているインジケータをさらに備えている、請求項１に記載の光学デバイス。
【請求項８】
前記インジケータは、前記１つ以上の検出器により検出された前記再放射された光に基づいて、ユーザに表示を提供する、請求項７に記載の光学デバイス。
【請求項９】
皮膚治療デバイスであって、
筐体と、
皮膚治療をユーザに提供するように作動可能な該筐体内の治療源と、
該筐体内に搭載されている光学制御システムであって、
着目表面に向けて光を放射するように構成されている１つ以上の光源と、
該着目表面から再放射された光を検出するように構成されている１つ以上の検出器と、
該１つ以上の検出器により検出された該再放射された光に基づいて、該皮膚治療デバイスの少なくとも１つの局面を制御するように構成されている、制御回路と
を備える、光学制御システムと
を備えている、デバイス。
【請求項１０】
前記光学制御システムは、前記制御回路に連結されている温度センサをさらに備えている、請求項９に記載の皮膚治療デバイス。
【請求項１１】
前記１つ以上の光源は、単一の広帯域光源を備え、前記１つ以上の検出器は、単一の広帯域検出器を備えるか、またはそれぞれが異なる光学帯域を検出する複数の検出器を備える、請求項９に記載の皮膚治療デバイス。
【請求項１２】
前記１つ以上の光源は、複数の光源を備え、該複数の光源のそれぞれは、異なる波長で光を放射し、前記１つ以上の検出器は、単一の広帯域検出器を備える、請求項９に記載の皮膚治療デバイス。
【請求項１３】
前記１つ以上の光源は、複数の光源を備え、該複数の光源のそれぞれは、異なる波長で光を放射し、前記１つ以上の検出器は、複数の検出器を備え、該複数の検出器のそれぞれは、異なる波長を検出する、請求項９に記載の皮膚治療デバイス。
【請求項１４】
前記１つ以上の光源は、緑色、赤色、超赤色、黄色、青色、および赤外線ＬＥＤから選択される１つ以上のＬＥＤを備える、請求項９に記載の皮膚治療デバイス。
【請求項１５】
前記制御回路に連結されているインジケータをさらに備えている、請求項９に記載の皮膚治療デバイス。
【請求項１６】
前記インジケータは、前記１つ以上の検出器により検出された前記再放射された光に基づいて、ユーザに表示を提供する、請求項１５に記載の皮膚治療デバイス。
【請求項１７】
システムであって、
皮膚治療をユーザに提供するように構成されている皮膚治療デバイスと、
表面検出システムであって、
着目表面に向けて光を放射するように構成されている少なくとも１つの光源と、
該着目表面から再放射された光を検出するように構成されている少なくとも１つの検出器と、
制御回路であって、
該少なくとも１つの検出器から検出された再放射信号を受信し、
少なくとも１つの表面検出閾値にアクセスし、そして
該受信された検出された再放射信号および該１つ以上の表面検出閾値に基づいて、該皮膚治療デバイスの少なくとも１つの局面を制御する
ようにプログラムされた、制御回路と
を備える表面検出システムと
を備えている、システム。
【請求項１８】
前記受信された検出された再放射信号と、前記１つ以上の表面検出閾値とに基づく表示を、ユーザに提供する手段をさらに備えている、請求項１７に記載のシステム。
【請求項１９】
前記受信された検出された再放射信号と、前記１つ以上の表面検出閾値とに基づいて、前記皮膚治療デバイスを制御し、該治療デバイスの動作を防止する手段をさらに備えている、請求項１７に記載のシステム。
【請求項２０】
前記少なくとも１つの検出器から検出された再放射信号に基づいて、前記皮膚治療デバイスの治療源の出力レベルを制御する手段をさらに備えている、請求項１７に記載のシステム。
【請求項２１】
光散乱を調節する手段をさらに備えている、請求項１７に記載のシステム。
【請求項２２】
前記着目表面に到達することなく前記１つ以上の検出器に後方反射される光を補正するように較正する手段をさらに備えている、請求項１７に記載のシステム。
【請求項２３】
温度変動を補正する手段をさらに備えている、請求項１７に記載のシステム。
【請求項２４】
前記制御回路が、前記１つ以上の検出器により検出された前記再放射された光に基づいて、前記着目表面の色素沈着レベルを決定するようにさらに構成されている、請求項１に記載の光学デバイス。
【請求項２５】
前記制御回路が、前記１つ以上の検出器により検出された前記再放射された光に基づいて、前記着目表面が皮膚であるかどうかを決定するようにさらに構成されている、請求項１に記載の光学デバイス。
【請求項２６】
前記１つ以上の光源は、単一の広帯域光源を備え、前記１つ以上の検出器は、それぞれが異なる光学帯域を検出するように構成された複数の検出器を備える、請求項１に記載の光学デバイス。
【請求項２７】
前記制御回路が、前記１つ以上の検出器により検出された前記再放射された光に基づいて、前記着目表面の色素沈着レベルを決定するようにさらに構成されている、請求項９に記載の皮膚治療デバイス。
【請求項２８】
前記制御回路が、前記１つ以上の検出器により検出された前記再放射された光に基づいて、前記着目表面が皮膚であるかどうかを決定するようにさらに構成されている、請求項９に記載の皮膚治療デバイス。
【請求項２９】
前記検出された再放射信号および前記１つ以上の表面検出閾値に基づいて、前記皮膚治療デバイスの少なくとも１つの局面を制御することが：
該検出された再放射信号を１つ以上の再放射閾値と比較することと、
該比較の結果に基づいて、該皮膚治療デバイスの少なくとも１つの局面を制御することと
を含む、請求項１７に記載のシステム。
【請求項３０】
前記検出された再放射信号および前記１つ以上の表面検出閾値に基づいて、前記皮膚治療デバイスの少なくとも１つの局面を制御することが：
該検出された再放射に基づいて、前記着目表面の色素沈着レベルを決定することと、
該決定された色素沈着レベルを１つ以上の色素沈着レベル閾値と比較することと、
該比較の結果に基づいて、該皮膚治療デバイスの少なくとも１つの局面を制御することと
を含む、請求項１７に記載のシステム。
【請求項３１】
前記検出された再放射信号および前記１つ以上の表面検出閾値に基づいて、前記皮膚治療デバイスの少なくとも１つの局面を制御することが：
該検出された再放射信号に少なくとも基づいて、再放射率の値を計算することと、
該再放射率の値を１つ以上の再放射率の値の閾値と比較することと、
該比較の結果に基づいて、該皮膚治療デバイスの少なくとも１つの局面を制御することと
を含む、請求項１７に記載のシステム。
【請求項３２】
前記制御回路が、前記検出された再放射信号に基づいて、前記着目表面の色素沈着レベルを決定するようにさらにプログラムされている、請求項１７に記載のシステム。
【請求項３３】
前記制御回路が、前記検出された再放射信号に基づいて、前記着目表面が皮膚であるかどうかを決定するようにさらにプログラムされている、請求項１７に記載のシステム。
【請求項３４】
前記表面検出システムが、前記皮膚治療デバイスと統合されている、請求項１７に記載のシステム。